(57)【要約】【課題】基本的にユーザー毎に専用の受付端末を用意する必要がある。このため、多数のユーザーの利用が想定される場合には、システムの構築コストが高くなると共に、運用も煩雑となる。【解決手段】（ａ）表示中の画像に対する印刷オーダーを個別に送信する複数台の端末と、（ｂ）複数台の端末からの印刷オーダーを受信して受け付ける印刷オーダー受付装置と、（ｃ）表示中の画像に対する印刷オーダーの受付状況を、対象画像との対応関係が分かるように表示画面を構成する表示画面生成装置とで構成される印刷受付システムを提案する。【選択図】図１
2008171368.tif 000002
【特許請求の範囲】
【請求項１】
表示中の画像に対する印刷オーダーを個別に送信する複数台の端末と、
前記複数台の端末から印刷オーダーを受信して受け付ける印刷オーダー受付装置と、
表示中の画像に対する印刷オーダーの受付状況を、対象画像との対応関係が分かるように配置した表示画面を生成する表示画面生成装置と
を有することを特徴とする印刷受付システム。
【請求項２】
請求項１に記載の印刷受付システムにおいて、
前記表示画面生成装置は、前記表示画面を投影型の表示装置に出力する
ことを特徴とする印刷受付システム。
【請求項３】
請求項１に記載の印刷受付システムにおいて、
前記表示画面生成装置は、前記表示画面を表示装置一体型の印刷装置に出力する
ことを特徴とする印刷受付システム。
【請求項４】
請求項１に記載の印刷受付システムにおいて、
前記複数台の端末は、各端末に固有の識別子を印刷オーダーの付加情報として送信する
ことを特徴とする印刷受付システム。
【請求項５】
請求項１に記載の印刷受付システムにおいて、
前記複数台の端末は、ユーザー所有の携帯型の情報機器である
ことを特徴とする印刷受付システム。
【請求項６】
請求項１に記載の印刷受付システムにおいて、
表示画面内に複数の画像が存在する場合、印刷オーダーは、画面内の画像を特定する情報を含む
ことを特徴とする印刷受付システム。
【請求項７】
請求項１に記載の印刷受付システムにおいて、
表示画面内に複数の画像が存在する場合、印刷オーダーは、各画像に固有の特定情報を含む
ことを特徴とする印刷受付システム。
【請求項８】
請求項１に記載の印刷受付システムにおいて、
前記受付状況は、対象画像に対する印刷オーダーの総数である
ことを特徴とする印刷受付システム。
【請求項９】
請求項１に記載の印刷受付システムにおいて、
前記受付状況は、受付可能な全画像に対する印刷オーダーの総数である
ことを特徴とする印刷受付システム。
【請求項１０】
請求項１に記載の印刷受付システムにおいて、
前記受付状況は、ユーザー個人を特定する情報である
ことを特徴とする印刷受付システム。
【請求項１１】
請求項１に記載の印刷受付システムにおいて、
前記受付状況は、ユーザー別のオーダー枚数である
ことを特徴とする印刷受付システム。
【請求項１２】
請求項１に記載の印刷受付システムにおいて、
前記受付状況は、印刷開始後の進行状況を含む
ことを特徴とする印刷受付システム。
【請求項１３】
表示中の画像に対する印刷オーダーを複数台の端末から受信して受け付ける印刷オーダー受付部と、
表示中の画像に対する印刷オーダーの受付状況を、対象画像との対応関係が分かるように配置した表示画面を生成する表示画面生成部と
を有することを特徴とする印刷オーダー受付装置。
【請求項１４】
表示中の画像に対する印刷オーダーを複数台の端末から受信して受け付ける印刷オーダー受付部と、
表示中の画像に対する印刷オーダーの受付状況を、対象画像との対応関係が分かるように配置した表示画面を生成する表示画面生成部と、
印刷オーダーに従って、対応画像を印刷する印刷デバイスと
を有することを特徴とする印刷装置。
【請求項１５】
表示中の画像に対する印刷オーダーを複数台の端末から受信して受け付ける処理と、
表示中の画像に対する印刷オーダーの受付状況を、対象画像との対応関係が分かるように配置した表示画面を生成する処理と、
を有することを特徴とする印刷オーダー受付方法。
【請求項１６】
コンピュータに、
表示中の画像に対する印刷オーダーを複数台の端末から受信して受け付ける処理と、
表示中の画像に対する印刷オーダーの受付状況を、対象画像との対応関係が分かるように配置した表示画面を生成する処理と、
を実行させることを特徴とするコンピュータプログラム。
【発明の詳細な説明】
【技術分野】
【０００１】
この明細書で説明する発明は、複数人のユーザーが印刷オーダーを同時に入力できる印刷受付技術に関する。ここでの発明は、印刷受付システム、印刷オーダー受付装置、印刷装置、印刷オーダー受付方法及びコンピュータプログラムとしての側面を有する。
【背景技術】
【０００２】
複数の専用受付端末で構成される写真受注システムには、同時に複数の印刷オーダーを処理できる機能を搭載するものがある。もっとも、この種の写真受注システムは、基本的に各ユーザーが個別に所有する画像を持ち込むことを前提とする。このため、記憶媒体の読み出し装置と画像の再生装置を有する専用受付端末が必要となる。
【発明の開示】
【発明が解決しようとする課題】
【０００３】
しかし、既存の写真受注システムは、基本的に少人数のユーザーが個別に操作することを前提とする。従って、一度に多数のユーザーが共通する画像に対して印刷オーダーを入力するのには不適当である。また、システムの構築コストが高くなると共に、運用も煩雑となる。
【０００４】
なお、注文ミスの低減を目的として、既に受け付けた印刷オーダーの画像をスライドショー形式で画面表示する機能を開示するものに以下の文献がある。
【特許文献１】特開２００４−３６２３０３号公報
【特許文献２】特開２００４−３６２６６３号公報
【特許文献３】特開２００５−３８７３号公報
【課題を解決するための手段】
【０００５】
本発明者は、（ａ）表示中の画像に対する印刷オーダーを個別に送信する複数台の端末と、（ｂ）複数台の端末からの印刷オーダーを受信して受け付ける印刷オーダー受付装置と、（ｃ）表示中の画像に対する印刷オーダーの受付状況を、対象画像との対応関係が分かるように表示画面を構成する表示画面生成装置とを有する印刷受付システムを提案する。
【発明の効果】
【０００６】
この発明の場合、印刷オーダーの入力装置（端末）とその受付装置とは別に用意する。これにより、ユーザー数が多い場合でも、印刷オーダーの入力装置（端末）を増やすことで対応することができる。また、画面上には各画像に対応する印刷オーダーの受付状況が関連付けて表示されるので、他のユーザーのオーダー状況を参考に印刷オーダーを入力することができる。
【発明を実施するための最良の形態】
【０００７】
以下、発明に係る印刷受付システムの形態例を説明する。
なお、本明細書で特に図示又は記載されない部分には、当該技術分野の周知又は公知技術を適用する。
また以下に説明する形態例は、発明の一つの形態例であって、これらに限定されるものではない。
【０００８】
（Ａ）形態例１
結婚式、パーティーその他のイベント会場では、イベントの最中やイベントに関連して写真が撮影されることが多い。このため、撮影された写真の印刷オーダーを効率よく受け付けるシステムが求められる。
以下では、印刷オーダーの受付状態を対象画像と関連付けた状態で表示できる印刷受付システムの形態例を説明する。
【０００９】
（Ａ−１）印刷受付システムの全体構成
図１に、印刷受付システム１の全体構成例を示す。印刷受付システム１は、コントローラ一体型印刷装置３、ディジタルカメラ５、プロジェクタ７、スクリーン９及びリモートコントローラ１１で構成される。
【００１０】
（Ａ−２）コントローラ一体型印刷装置の構成
（ａ）機能構成
図２に、コントローラ一体型印刷装置３の機能構成を示す。コントローラ一体型印刷装置３は、印刷オーダーの受付機能その他の処理を実行するコントローラ３１と、記録媒体に画像を記録する印刷装置３３とで構成される。
【００１１】
コントローラ３１は、印刷オーダー受付部３１１、表示画像生成部３１３、通信部３１５、メディアドライバ３１７、画像再生部３１９、画像記憶部３２１で構成される。
【００１２】
印刷オーダー受付部３１１は、複数のリモートコントローラ１１から個別に受信される印刷オーダーの受け付け処理を実行する。
表示画像生成部３１３は、表示中の画像に対する印刷オーダーの受付状況を対象画像との対応関係が分かるように配置した表示画面を生成する処理を実行する。
【００１３】
通信部３１５は、ディジタルカメラ５やリモートコントローラ１１との通信処理を実行する。通信部３１５は、ディジタルカメラ５から画像データを受信すると共に、リモートコントローラ１１から印刷オーダーを受信する機能を提供する。なお、通信部３１５は、無線通信方式及び有線通信方式のいずれにも対応する。
【００１４】
メディアドライバ３１７は、ディジタルカメラ５で撮像された画像が外部メディア（例えば半導体記憶媒体）に保存された状態で提供される場合に、画像データを外部メディアから読み出すための処理を実行する。
【００１５】
画像再生部３１９は、表示用や印刷用に画像データの復号処理を実行する処理デバイスである。
画像記憶部３２１は、表示用や印刷用に画像データを一時的に保存する記憶領域である。画像機億部３２１は、例えばハードディスク装置や半導体記憶装置で構成する。
【００１６】
（ｂ）ハードウェア構成
図３に、コントローラ一体型印刷装置３のハードウェア構成を示す。
ＣＰＵ３１０１は、コントローラ一体型印刷装置３のシステム全体を制御する処理ユニットである。ＣＰＵ３１０１は、ファームウェア（コンピュータプログラム）の実行により印刷オーダー受付部３１１や表示画像生成部３１３の機能を実現する。
【００１７】
なお、ファームウェアは、ＲＯＭ３１０３に保存される。ＬＣＤ３１０５は、筐体正面に配置される表示デバイスである。操作キー３１０７は、筐体表面に配置される押しボタン等の操作子である。
リモコン受信装置３１０９は、オーダーリモコン１１から出力される印刷オーダーを受信する通信デバイスである。
【００１８】
メディアドライバ３１１１は、外部メディアからデータを読み出す際に使用される。無線通信装置３１１３は、ディジタルカメラ５等との無線通信用である。
メカコントローラ３１１５は、印刷装置３３のメカ機構の動きを制御する制御ユニットである。プリントエンジン３１１７は、記録紙の搬送その他を実行するメカ機構である。
【００１９】
メモリコントローラ３１１９は、印刷画像や表示画像のデータをメモリ３１２１との間で受け渡しする制御ユニットである。
ヘッドコントローラ３１２３は、サーマルヘッド３１２５を構成する個々の抵抗体に対する通電を制御する制御ユニットである。
【００２０】
ディスプレイコントローラ３１２７は、表示画像をＬＣＤ３１０５やプロジェクタ７に出力する制御ユニットである。この形態例の場合、印刷オーダーの受付対象である画像は、大画面での表示が可能なプロジェクタ７側に出力される。従って、ＬＣＤ３１０５には、印刷の受付に関する情報が出力される。
【００２１】
なお、コントローラ一体型印刷装置３には、出力した写真を自動的に仕分けする機能(ハード的に仕分けるもの、写真に仕分けデータを記録するものなど)が搭載されることが好ましい。
【００２２】
（Ａ−３）ディジタルカメラの構成
図４に、ディジタルカメラ５の機能構成を示す。ディジタルカメラ５は、既知の装置を使用する。この形態例で使用するディジタルカメラ５は、主に３つの機能ブロックで構成される。すなわち、カメラユニット５１、メディアドライブ５３及び無線通信装置５５で構成される。
【００２３】
このうち、カメラユニット５１は、レンズ系、撮像素子、画像処理部その他で構成される。
また、この形態例における無線通信装置５５は、撮像した画像を即座に閲覧可能とするために、撮像した画像の画像データを自動的に転送する機能を搭載する。
【００２４】
（Ａ−４）リモートコントローラの構成
図５に、この形態例で使用するリモートコントローラ１１の外観構成を示す。このリモートコントローラ１１は、印刷オーダーの送信専用機である。リモートコントローラ１１の正面パネル１１１には、オーダー完了ボタン１１３、数字キー１１５、キャンセルボタン１１７及びオーダーボタン１１９が配置される。
【００２５】
このうち、オーダー完了ボタン１１３は、印刷オーダーの入力完了をコントローラ一体型印刷装置３に通知する信号を発生するボタンである。なお、オーダー完了ボタン１１３の操作により、印刷オーダーが確定して画像の印刷が開始される。
【００２６】
数字キー１１５は、注文枚数等を通知する信号を発生するボタンである。キャンセルボタン１１７は、注文枚数の入力又は印刷オーダーの入力をキャンセルする信号を発生するボタンである。
【００２７】
オーダーボタン１１９は、操作時点で画面に表示されている画像の印刷オーダーを入力する信号を発生するボタンである。
図６に、リモートコントローラ１１の機能構成を示す。リモートコントローラ１１は、キー操作検知部１２１、信号処理部１２３及び無線通信装置１２５で構成する。
【００２８】
キー操作検知部１２１は、前述した各種の操作ボタンに対する操作を検知する処理を実行する。信号処理部１２４は、操作ボタンの捜査結果に応じた通信信号を発生する処理を実行する。ここでの通信信号には、各機に固有の識別子（ＩＤ）が自動的に付与される。無線通信装置１２５は、発生された通信信号をコントローラ一体型印刷装置３に送信する。
【００２９】
（Ａ−３）表示画面例
ここでは、表示画面生成部３１３で生成され、プロジェクタ７を通じてスクリーン９に表示される画面例を説明する。
【００３０】
（ａ）印刷オーダー受付時の画面例
図７に、表示画面例を示す。印刷オーダーの受付可能な状態になった画像は、スライドショー形式でスクリーン９に表示される。これにより、イベント参加者の全てが該当画像を閲覧することができる状態になる。なお、図中の外枠１０１は表示画面の外縁を示し、内枠１０３で囲まれた領域が画像を示す。
【００３１】
図８に、印刷オーダーの受付があった状態での表示画面例を示す。図８の表示例の場合、ＡさんとＢさんから表示中の画像に対して印刷オーダーがあったことが吹き出し１０５の形態で表示される。なお、吹き出し１０５には、印刷オーダーを送信したユーザー名（識別ＩＤ）だけでなく、そのオーダー枚数も同時に表示される。
【００３２】
ユーザー名は、印刷オーダーに付与されているリモートコントローラ１１の識別子を用いて事前に登録されたユーザー名を読み出すことにより特定する。
なお、図９に示すように、印刷オーダーを送信したユーザーの情報は、顔写真１０７の形態で表示しても良い。勿論、この場合は、リモートコントローラ１１の識別子に個々人のユーザーの顔写真を対応付けて登録しておく必要がある。
【００３３】
（ｂ）印刷完了時の画面例
図１０に、表示画面例を示す。図１０は、印刷オーダーを送信したユーザー名を表示する吹き出し１０５とは別の領域に、印刷の完了したユーザー名を吹き出し１０９の態様で表示する例である。
【００３４】
ただし、図１０は、ユーザー名のみを表示し、各自が注文した写真の枚数は表示しない例を表している。なお、印刷オーダーを送信したユーザー名を表示する領域に、印刷の完了したユーザー名を並べて表示することもできる。
【００３５】
また、図１１に示すように、印刷の完了を示す吹き出し１０９だけでなく、印刷受付後の経過情報（例えば残り枚数、印刷待ちの順番、印刷終了までの時間等）を吹き出し１１１の形態で表示しても良い。
【００３６】
（Ａ−４）印刷受付時の処理動作
以下、印刷受付システム１で実行される処理動作を説明する。
イベント会場では、カメラマンにより撮像された画像データが無線通信により又はメモリカード等の外部メモリの形態でコントローラ一体型印刷装置３に登録される。
【００３７】
ここでの画像データは、画像データベースに登録される。画像データベースは、メモリ３１２１の記憶領域内に確保される。
データベースに登録された画像は、自動的にスライドショーキューに追加される。
【００３８】
この後、スライドショーキューに追加された画像は、コントローラ一体型印刷装置３（表示画像生成部３１３）を通じて順番に読み出される。図１２に、コントローラ一体型印刷装置３で実行される処理手順を示す。
【００３９】
まず、コントローラ一体型印刷装置３（表示画面生成部３１３）は、読み出した画像をスクリーン９に順番に表示する（Ｓ１）。
ここで、コントローラ一体型印刷装置３（印刷オーダー受付部３１１）は、印刷オーダーが受信されたか否かを判定する（Ｓ２）。
【００４０】
判定処理で肯定結果が得られた場合、コントローラ一体型印刷装置３（印刷オーダー受付部３１１）は、オーダーリストを更新する（Ｓ３）。更新処理では、印刷オーダーの追加処理や削除処理が実行される。図１３に、オーダーリストの一例を示す。オーダーリストには、印刷オーダーを受け付けた時点に画面表示されている画像のファイル名（例えば、DSC0001.JPG）、印刷オーダーを送信したリモートコントローラ１１の識別子（ＩＤ）、オーダー枚数が記録される。
【００４１】
この後、コントローラ一体型印刷装置３（表示画面生成部３１３）は、オーダーリストに基づいて、画面表示する印刷オーダーの受付状態を更新する（Ｓ４）。コントローラ一体型印刷装置３（表示画面生成部３１３）は、図１３に示すオーダーリストと図１４に示すＩＤリストを照合し、オーダーリストの識別子（ＩＤ）を対応するユーザー名を読み出す。
【００４２】
この読み出し後の表示画像が、図８〜図１０に示す表示画面例である。すなわち、コントローラ一体型印刷装置３（表示画面生成部３１３）は、現在表示中の画像のファイル名に対応するユーザー名をＩＤリストより抽出し、印刷オーダーの受付状況を示す表示画面を生成する。
この後又は判定処理Ｓ２で否定結果が得られた場合、コントローラ一体型印刷装置３（表示画面生成部３１３）は、インターバル時間が経過したか否かを判定する（Ｓ５）。
【００４３】
インターバル時間が経過しない間、再び処理Ｓ２に戻り、新たな印刷オーダーの受信がないか判定する処理に進む。一方、インターバル時間が経過した場合、コントローラ一体型印刷装置３は、一連の処理を終了するか否かを判定する（Ｓ６）。ここでの「終了」には、スライドショー画像として登録された最後の画像まで表示されたこと、システム管理者が強制的に終了を指示されたこと等が含まれる。
【００４４】
判定処理Ｓ６で否定結果が得られた場合、コントローラ一体型印刷装置３（印刷オーダー受付部３１１）は、再び処理Ｓ１に戻りスライドショー表示を継続する。一方、判定処理Ｓ６で肯定結果が得られた場合、コントローラ一体型印刷装置３（印刷オーダー受付部３１１）は、スライドショー表示を終了する。
【００４５】
以上が画面表示に関する基本的な処理動作である。勿論、この画面表示と並行して印刷処理動作が並行して実行される。
図１５に、印刷キューの管理タスクフローを示す。この管理タスクフローもＣＰＵ３１０１で実行されるファームウェアの一機能として実現される。
【００４６】
コントローラ一体型印刷装置３は、オーダーの完了を送信したリモートコントローラ１１があるか否かを判定する（Ｓ１１）。
肯定結果が得られた場合、コントローラ一体型印刷装置３は、オーダー完了を通知したリモートコントローラ１１に対応するオーダーリストを印刷キューに移動する（Ｓ１２）。
【００４７】
図１６に、オーダーリストの移動イメージを示す。図１６は、識別子（ＩＤ）が「００２」のリモートコントローラ１１からオーダー完了が通知された場合の移動イメージを示す。印刷キューには、リモートコントローラ１１の識別子（ＩＤ）、ファイル名、オーダー枚数、ステータスが記録される。
【００４８】
図１６の場合、２つのファイルが移動される様子を表している。なお、印刷が開始される前のステータスは「印刷待ち」であり、印刷が開始されると「印刷中」、印刷が完了すると「印刷完了」にステータスは変更される。
【００４９】
この後、コントローラ一体型印刷装置３は、印刷キューの管理タスクを終了するか否かを判定し、否定結果が得られている間は一連の処理を繰り返す（Ｓ１３）。
次に、印刷管理タスクフローを説明する。図１７に示すように、コントローラ一体型印刷装置３は、印刷キューに印刷待ちがあるか否かを先ず判定する（Ｓ２１）。
【００５０】
肯定結果が得られた場合、コントローラ一体型印刷装置３は、印刷キューの順番に印刷を開始する（Ｓ２２）。
この後又は判定処理Ｓ２１で否定結果が得られていた場合、コントローラ一体型印刷装置３は、印刷キューのステータスを更新する（Ｓ２３）。
【００５１】
次に、コントローラ一体型印刷装置３（表示画面生成部３１３）は、印刷キューとＩＤリストを照合し、画面表示されるステータス情報を更新する（Ｓ２４）。例えば、印刷の完了時点で、印刷が終了したことをユーザー名と共に表示する。これにより、ユーザーは、所定のブースに行って確認しなくても、写真の出来上がりを確認できる。
【００５２】
この後、コントローラ一体型印刷装置３は、印刷管理タスクを終了するか否かを判定し、否定結果が得られている間は一連の処理を繰り返す（Ｓ２５）。
【００５３】
（Ａ−５）効果
以上説明した印刷受付システム１の採用により、単位時間当たりの注文可能枚数を簡単に増やすことができる。すなわち、リモートコントローラ１１の台数を増やすだけで、ユーザー人数の多寡に対して過不足無く対応することができるシステムを容易に構築できる。
【００５４】
勿論、リモートコントローラ１１の台数の増加は、専用受付端末の増設に比べ、経済的であり、システムの運営も容易である。
また、この印刷受付システム１では、イベント参加者の誰もがスクリーン画面（共通画面）を通じて自他による印刷オーダーの受付状態を確認できる。
【００５５】
従って、印刷オーダーを発するか否かの参考に用いることができる。例えば仲間同士で同じ写真を注文したり、人気の高い写真を印刷オーダーに加えることができる。また、スライドショーを大勢で楽しむだけでなく、印刷オーダーの受付状態の情報もイベント参加者間で共有できるため、イベントの演出効果を高めることもできる。また、システムの提供者側からは印刷オーダーの増加を期待できる。
【００５６】
また、この印刷受付システム１では、印刷オーダーにリモートコントローラ１１の識別子（ＩＤ）が自動的に付与されるため、写真の仕分け作業も容易になる。
また、リモートコントローラ１１の貸し出し時に、リモートコントローラ１１と決済に必要な情報とを管理しておくことにより、決済処理も効率化できる。勿論、料金の未回収を防止することもできる。
【００５７】
（Ｂ）他の形態例
（ａ）他の印刷受付システム例１
前述の形態例においては、印刷機能と印刷受付機能とが１つの筐体内に一体化された印刷受付システムについて説明した。すなわち、コントローラ一体型印刷装置３を使用する場合について説明した。
【００５８】
しかし、各機能はそれぞれ独立した装置であっても良い。
図１８に、この種の印刷受付システム２０１を示す。印刷受付システム２０１は、コントローラ２０３、印刷装置２０５、ディジタルカメラ５、プロジェクタ７、スクリーン９及びリモートコントローラ１１で構成される。
【００５９】
コントローラ２０１は、図２のコントローラ３１に対応する。従って、コントローラ２０１の基本構造はコンピュータである。一方、印刷装置２０３は、図２の印刷装置３３に対応する。印刷装置２０３には、既知の各種の印刷装置を必要に応じて適用する。
【００６０】
このように、コントローラ２０１と印刷装置２０３を分離する場合、必要に応じて印刷装置値２０３の台数を増やすのも容易である。また、前述した受付機能を搭載せずに済むので印刷装置の開発コストを低減できる。
【００６１】
（ｂ）他の印刷受付システム例２
前述の形態例においては、印刷対象としての画像及び各画像に対応する印刷オーダーの受付状態を大画面表示が可能なスクリーン９に表示する場合について説明した。
しかし、コントローラ一体型印刷装置３等に付属する表示パネルに画面表示しても良い。
【００６２】
図１９に、この種のコントローラ一体型印刷装置２１１の外観例を示す。図１９の場合、コントローラ一体型印刷装置２１１の正面上部には大型の表示パネル２１３が搭載される。小規模な集まりや小さい部屋の場合には、この種の印刷受付システムの方が便利である。
【００６３】
（ｃ）他の印刷受付システム例３
前述した形態例においては、印刷対象としての画像及び各画像に対応する印刷オーダーの受付状態を大画面表示が可能なスクリーン９に表示する場合について説明した。
しかし、印刷オーダーの受付機能を管理するコントローラは、ｗｅｂサーバーと連携する構成としても良い。
【００６４】
この場合、コントローラには、オーダー用のホームページを作成する機能を搭載する。この際、リモートコントローラ１１にｗｅｂのブラウジング機能を搭載すれば、個々の端末に搭載された表示画面にて、ユーザーは前述した各種画面を確認することができる。
【００６５】
（ｄ）他の表示画面例１
前述の形態例においては、スライドショー形式で表示される画面上に、印刷オーダーを送信したユーザー名、ユーザー個別のオーダー枚数及び印刷の進行状態（完了、印刷中等）を表示する場合について説明した。
【００６６】
しかし、図２０に示すように、ユーザー名を特定せずに印刷オーダーの枚数を表示しても良い。なお、吹き出し２２１は、印刷オーダー全体の印刷枚数を示す。また、吹き出し２２３は、表示中の画像に対する印刷オーダーの総印刷枚数を示す。
【００６７】
なお、ユーザー名を特定できる状態で表示するか、ユーザー名を特定しない状態で表示するかは選択できることが好ましい。
この他、ユーザー別の総印刷枚数を画面表示することもできる。また、印刷完了までの印刷枚数や残り時間、印刷仕上がり予定時間等を表示することもできる。
【００６８】
また、印刷オーダーの受付状態や印刷状態の表示画面に表示されるユーザー別の表示欄の表示色や表示形状を変更する方法を採用しても良い。この表示方法を採用すれば、画面上での識別性を高めることができる。
【００６９】
（ｅ）他の表示画面例２
前述の形態例においては、表示画面上に印刷オーダーの受付対象である画像を１つだけ表示する場合について説明した。
【００７０】
しかし、図２１に示すように、２枚（より一般的には３枚以上の複数枚）の画像を同時に表示しても良い。
この表示方式を採用する場合には、印刷オーダーの対象画像を特定する機能をリモートコントローラに搭載する。
【００７１】
図２２に、左右の画面に対応した２つのボタンを有するリモートコントローラ１３１の構成例を示す。なお、図２２は、図５との対応部分に同一符号を付して示す。このリモートコントローラ１３１の場合、右側の画像１０３Ｒの選択にはオーダーボタン１３３を操作する。また、左側の画像１０３Ｌの選択にはオーダーボタン１３５を操作する。
【００７２】
なお、図２３に示すように、各画像に対応した識別コード（例えばファイル名）が表示される場合には、この識別コードを入力する方法を採用できる。
図２４に、画面内に表示された複数の画像のうち特定の画像を識別コードで特定する機能を有するリモートコントローラ１４１の構成例を示す。なお、図２４も、図５との対応部分に同一符号を付して示す。
【００７３】
リモートコントローラ１４１の場合、コード入力ボタン１４３を追加的に配置する。
このリモートコントローラ１４１の場合、印刷オーダーの操作は、例えば以下のように実行する。まず数字キー１１５を操作して画像の識別コードを入力する。次に、コード入力ボタン１４３を操作して識別コードの入力を確定する。
【００７４】
引き続き、数字キー１１５を操作して注文枚数を入力する。この段階でオーダーボタン１１９を操作して該当画像に対する印刷オーダーを確定する。
以後、この動作を繰り返し実行し、全ての印刷オーダーを確定する段階でオーダー完了ボタン１１３を操作する。
【００７５】
（ｆ）リモートコントローラの他の構成
前述の形態例の場合、印刷オーダーの送信用に専用のリモートコントローラを用意する場合について説明した。
しかし、ユーザー個人の携帯電話機をリモートコントローラとして利用しても良い。なお、携帯電話機と印刷オーダー受付装置とは、直接通信できることが望ましい。直接通信には、無線通信機能や赤外線通信機能等を使用する。
【００７６】
（ｇ）印刷対象画像
前述の形態例では、ディジタルカメラ５で撮像された画像が印刷オーダー用に逐次登録され、スライドショーに追加される場合について説明した。
しかし、印刷対象画像は、ハードディスク、半導体記憶媒体、光学式記憶媒体等に事前に格納されたものに限ることもできる。
【００７７】
（ｈ）識別子
前述の形態例では、リモートコントローラ１１が有する固有の識別子（ＩＤ）を用いて印刷オーダーの受付処理を実行する場合について説明した。
しかし、印刷オーダーに付与する識別子は、複数人（グループ）単位で事前に登録された識別子でも良い。
【００７８】
（ｉ）印刷デバイス
前述の形態例では、印刷デバイスとして昇華型の印刷デバイスを搭載する場合について説明した。
しかし、印刷デバイスは任意である。例えば、インクジェット方式により画像を形成する印刷デバイスでも良いし、レーザープリンタのように、レーザー光源と感光ドラムその他の機構で構成される印刷デバイスでも良い。また、活版印刷でも良い。
【００７９】
（ｊ）前述の形態例では、処理機能の全てをソフトウェア処理により実現する場合について説明した。
しかし、処理機能の一部又は全部を、ハードウェアとソフトウェアの機能分担により実現することもできる。また、処理機能の全部をハードウェア（ＡＳＩＣ）として実現しても良い。
【００８０】
（ｋ）前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【００８１】
【図１】印刷受付システムの全体構成例を示す図である。
【図２】コントローラ一体型印刷装置の機能構成例を示す図である。
【図３】コントローラ一体型印刷装置のハードウェア構成例を示す図である。
【図４】ディジタルカメラの機能構成例を示す図である。
【図５】リモートコントローラの外観構成例を示す図である。
【図６】リモートコントローラの機能構成例を示す図である。
【図７】表示画面例を示す図である。
【図８】印刷オーダーの受付があった状態での表示画面例を示す図である。
【図９】印刷オーダーの受付があった状態での他の表示画面例を示す図である。
【図１０】印刷オーダーの受付があった状態での他の表示画面例を示す図である。
【図１１】印刷受付後の経過情報の表示画面例を示す図である。
【図１２】印刷受付時の処理動作例を示す図である。
【図１３】オーダーリスト例を示す図である。
【図１４】ＩＤリスト例を示す図である。
【図１５】印刷キューの管理タスクフローを示す図である。
【図１６】オーダーリストの移動イメージを示す図である。
【図１７】印刷キューの管理タスクフローを示す図である。
【図１８】印刷受付システムの他の構成例を示す図である。
【図１９】表示画面の他の出力例を示す図である。
【図２０】他の表示画面例を示す図である。
【図２１】他の表示画面例を示す図である。
【図２２】図２１に対応したリモートコントローラの構成例を示す図である。
【図２３】他の表示画面例を示す図である。
【図２４】図２３に対応したリモートコントローラの構成例を示す図である。
【符号の説明】
【００８２】
１        印刷受付システム
３        コントローラ一体型印刷装置
１１      リモートコントローラ
２０３    コントローラ
２０５    印刷装置
３１１    印刷オーダー受付部
３１３    表示画像生成部
【図１】
2008171368.tif 000003
【図２】
2008171368.tif 000004
【図３】
2008171368.tif 000005
【図４】
2008171368.tif 000006
【図５】
2008171368.tif 000007
【図６】
2008171368.tif 000008
【図７】
2008171368.tif 000009
【図８】
2008171368.tif 000010
【図９】
2008171368.tif 000011
【図１０】
2008171368.tif 000012
【図１１】
2008171368.tif 000013
【図１２】
2008171368.tif 000014
【図１３】
2008171368.tif 000015
【図１４】
2008171368.tif 000016
【図１５】
2008171368.tif 000017
【図１６】
2008171368.tif 000018
【図１７】
2008171368.tif 000019
【図１８】
2008171368.tif 000020
【図１９】
2008171368.tif 000021
【図２０】
2008171368.tif 000022
【図２１】
2008171368.tif 000023
【図２２】
2008171368.tif 000024
【図２３】
2008171368.tif 000025
【図２４】
2008171368.tif 000026